(57)【特許請求の範囲】
【請求項１】
長手の筒状で、両端が開口した外スリーブと、
前記外スリーブにスライド可能に内包された内容器とを備え、
前記内容器は、その上面が開放された舟形形状をなし、
前記内容器は、内容物を長手方向に並べて収容可能な長手の収容空間を有し、前記外スリーブから一端側が引き出されることにより、引き出された一端側の上面に内容物を取り出すための取出口が現れる構成であり、
前記内容器の他端側端面には、収容したい物を前記収容空間へ挿入でき、挿入した物が戻り出ることのない一方向入口が備えられており、
前記一方向入口は、前記内容器の他端側端面である後面に形成された開口と、この開口を塞ぐように収容空間内側に、前記内容器の左右側壁の他方側端縁に屈曲状に連設された一対のフラップ片と、前記内容器の後面の上端縁に屈曲状に連設され、前記一対のフラップ片が開くのを抑制するための舌片と、を有することを特徴とする包装容器。
【請求項２】
前記内容器は、一枚のブランクから組み立てられ、底壁と、底壁の左右両側縁に連設されて折り曲げられる左右側壁と、底壁の他方端縁に連設されて折り曲げられ、後面を形成する後端壁と、左右側壁の他方端縁にそれぞれ連設されて折り曲げられる一対のフラップ片と前記後端壁の上端縁に屈曲状に連設された舌片と、を含み
前記後面には、前記一方向入口を開口するときに除去可能な穴蓋がミシン目で繋がるように形成されていることを特徴とする請求項１に記載の包装容器。
【発明の詳細な説明】
【技術分野】
【０００１】
この発明は、包装容器に関し、特に菓子類を収容するための包装容器に関する。
【背景技術】
【０００２】
菓子を喫食する際、剥がした包み紙や、ガムを噛み終わったカスなど不要なものが発生する。このような菓子の喫食中や喫食後に不要になったものを収容できる機能を付与した菓子用の包装容器が、従来より提案されている。
包装容器を長尺の直方体形状に形成し、長手方向の一端に、菓子を取り出すための開閉可能な取出口を設け、他端には、不要になったものを内部に挿入するための開閉可能な入口を設けている（例えば、特許文献１〜３参照。）。
【０００３】
特許文献１では、包装容器を、筒状の外箱と、この外箱内をスライド可能な内箱とで構成する。内箱をスライドさせて、外箱の上面の開口と、内箱の上面の開口とを互いに連通させることで、前記入口が開くようになっている。
特許文献２では、包装容器を、筒状の外箱と、この外箱内をスライド可能な内箱とで構成する。内箱の他端に、入口を覆うフラップ状の蓋と、この蓋に連設された差込片とを設け、蓋を開くことで、不要になったものを内部に入れることができる。
【０００４】
特許文献３では、包装容器の一端が、取出口を覆う開閉可能なフラップ状の蓋と、この蓋に連設された差込片とを有している。蓋を開くことで、内部にある菓子を取り出すことができる。
【先行技術文献】
【特許文献】
【０００５】
【特許文献１】特許第４８８７６５９号公報
【特許文献２】特開２００９−００７０４２号公報
【特許文献３】特開平０６−１３５４３６号公報
【発明の概要】
【発明が解決しようとする課題】
【０００６】
しかし、特許文献１〜３の従来品には、使い勝手が悪いという課題があった。
そこで、この発明の目的は、使い勝手の向上した包装容器を提供することである。より具体的には、収容したいものを容易に収容でき、かつ組立が容易な包装容器を提供することである。
【課題を解決するための手段】
【０００７】
請求項１記載の発明は、長手の筒状で、両端が開口した外スリーブと、前記外スリーブにスライド可能に内包された内容器とを備え、前記内容器は、その上面が開放された舟形形状をなし、前記内容器は、内容物を長手方向に並べて収容可能な長手の収容空間を有し、前記外スリーブから一端側が引き出されることにより、引き出された一端側の上面に内容物を取り出すための取出口が現れる構成であり、前記内容器の他端側端面には、収容したい物を前記収容空間へ挿入でき、挿入した物が戻り出ることのない一方向入口が備えられており、前記一方向入口は、前記内容器の他端側端面である後面に形成された開口と、この開口を塞ぐように収容空間内側に、前記内容器の左右側壁の他方側端縁に屈曲状に連設された一対のフラップ片と、前記内容器の後面の上端縁に屈曲状に連設され、前記一対のフラップ片が開くのを抑制するための舌片と、を有することを特徴とする包装容器である。
【０００８】
請求項２記載の発明は、前記内容器は、一枚のブランクから組み立てられ、底壁と、底壁の左右両側縁に連設されて折り曲げられる左右側壁と、底壁の他方端縁に連設されて折り曲げられ、後面を形成する後端壁と、左右側壁の他方端縁にそれぞれ連設されて折り曲げられる一対のフラップ片と前記後端壁の上端縁に屈曲状に連設された舌片と、を含み、前記後面には、前記一方向入口を開口するときに除去可能な穴蓋がミシン目で繋がるように形成されていることを特徴とする請求項１に記載の包装容器である。
【発明の効果】
【００１１】
この発明によれば、使い勝手が向上した包装容器を提供することができる。すなわち、内容器を外スリーブに対してスライドさせることで、取出口から内容物を容易に取り出すことができる。逆向きに内容器をスライドさせることで、取出口を閉じることができる。  また、包装材やガムの噛みカス等の収容したい物が生じたときには、これを他端側端面の一方向入口から収容空間に容易に入れることができ、しかも、入れたものが包装容器からこぼれることもない。内容器が舟形形状の場合には、内容物をより一層容易に取り出すことができる。また、ブランクに、フラップ片と、ミシン目で繋がった穴蓋とを形成する場合には、一方向入口を実用的に構成できる。
【００１２】
さらに、容器の構成要素が少ないため、容易に容器を組み立てることができる。
なお、一方向入口から収容できるものとしては、包装材やガムの噛みカス以外にも、補充用の内容物（例えばガム、キャンディ、チョコレート、ビスケット、スナック等の食品等）も挙げられる。
【図面の簡単な説明】
【００１３】
【図１】図１（Ａ）は、この発明の一実施形態に係る包装容器１の一端側から見た斜視図であり、外スリーブ２から内容器３の一部を引き出した状態を示し、図１（Ｂ）は、包装容器１を他端側から見た斜視図である。
【図２】図２（Ａ）は、包装容器１の他端側の拡大斜視図であり、噛みカス３３を一方向入口３０から入れようとしている状態を示し、図２（Ｂ）は、包装容器１の他端側の拡大斜視図であり、噛みカス３３が図２（Ａ）に示す状態よりも奥側に入った状態を示す。
【図３】図３（Ａ）は、包装容器１の他端側を上から見た断面図であり、噛みカス３３が一方向入口３０を通過中の状態を示し、図３（Ｂ）は、この状態の包装容器１の他端側を左右方向から見た断面図であり、図３（Ｃ）は、包装容器１の他端側を上から見た断面図であり、噛みカス３３が一方向入口３０を通過後の状態を示す。
【図４】図４（Ａ）は、外スリーブ２のブランク４０の平面図であり、図４（Ｂ）は、内容器３のブランク４１の平面図である。
【図５】図５（Ａ）は、この発明の別の実施形態の全体斜視図で、一方向入口を開いた組み立て前の状態を示す図であり、図５（Ｂ）は、図５（Ａ）の容器を組み立てた状態における縦断面図である。
【図６】図６（Ａ）は、この発明のさらに別の実施形態の全体斜視図で、一方向入口を開いた組み立て前の状態を示す図であり、図６（Ｂ）は、図６（Ａ）の容器を組み立てた状態における縦断面図である。
【図７】図７（Ａ）は、この発明のさらに別の実施形態の全体斜視図で、一方向入口を開いた組み立て前の状態を示す図であり、図７（Ｂ）は、図７（Ａ）の容器を組み立てた状態における縦断面図である。
【図８】図８は、フラップ片が４枚の構成例を示す実施例であり、（Ａ）は図解的な斜視図、（Ｂ）は平面図である。
【図９】図９は、フラップ片が３枚の構成例を示す実施例であり、（Ａ）は図解的な斜視図、（Ｂ）は平面図である。
【図１０】図１０は、フラップ片が１枚の構成例を示す実施例であり、（Ａ）は図解的な斜視図、（Ｂ）は平面図である。
【図１１】図１１は、内容器の形態を、図７に示すような四角柱から六角柱に変更し、６枚のフラップ片８６６を設けた実施例であり、（Ａ）は図解的な斜視図、（Ｂ）は平面図である。
【図１２】図１２は、一方向入口の構成要素である穴蓋に代えて、フラップ片の回動防止構造としての外側コーナー部ガイド１２１を設けた実施例を示す図解的な斜視図である。
【図１３】図１３は、一方向入口の構成要素である穴蓋に代えて、フラップ片の回動防止構造としての外側コーナー部ガイド１３１を設けた実施例を示す図解的な斜視図である。
【図１４】図１４は、この発明のさらに変形例を示す図であり、（Ａ）は図解的な斜視図、（Ｂ）は平面図である。
【図１５】図１５は、さらに他の実施例で、図１４に示す四角柱の容器を六角柱の容器７０とした構造であり、（Ａ）は図解的な斜視図、（Ｂ）は平面図である。
【図１６】図１６（Ａ），（Ｂ），（Ｃ）は、フラップ片１０１，１０２の形状の変形例を示す。
【発明を実施するための形態】
【００１４】
以下には、この発明の実施の形態を、図面を参照して詳細に説明する。
以下に説明する実施形態では、包装容器の一例として、内容物がガムである場合の包装容器であって、ガムの噛みカスを収容可能なものを取り上げて説明する。なお、この発明は、ガム用の包装容器に限定されるものではない。例えば、内容物としては、ガム以外の菓子、例えば、チョコレート、チョコレート菓子、キャンディ、グミ、錠菓、ビスケット、スナック、煎餅、和菓子等でもよい。また、ガムの噛みカスを、開封後に内部に収容したいものの一例として説明するが、これに限定されるものではなく、例えば、内容物の包装材や、当該包装容器を包む包装材等の不要物であってもよい。更に、内部に収容したいものの一例としては、補充用の内容物（例えばガム、キャンディ、チョコレート、ビスケット、スナック等の食品等）であってもよい。
【００１５】
図１（Ａ）は、この発明の一実施形態に係る包装容器１の一端側から見た斜視図であり、外スリーブ２から内容器３の一部を引き出した状態を示し、図１（Ｂ）は、包装容器１を他端側から見た斜視図である。
図１（Ａ）を参照して、包装容器１は、長手の筒状で両端が開口した外スリーブ２と、外スリーブ２の長手方向Ｘ１にスライド可能に内包された内容器３とを備えている。
【００１６】
外スリーブ２は、断面矩形の筒形状をなし、この筒形状の軸線に沿って長く形成されている。外スリーブ２は、長手方向Ｘ１の両側に開放されている。具体的には、外スリーブ２は、紙製であり、底壁６と、底壁６の左側縁から立ち上がる左側壁７と、底壁６の右側縁から立ち上がり左側壁７に対向する右側壁８と、左右側壁７，８の上縁にそれぞれ連接されて底壁６に対向する上壁９とを有している。
【００１７】
内容器３は、外スリーブ２の内面と同形状をなし、スライド方向に長い舟形形状をなしている。内容器３は、底面１１、左側面１２、右側面１３、前面１４および後面１５を有している。内容器３は、断面溝形で、内容器３の上面は開放されている。
具体的には、内容器３は、紙製の以下の各壁を有している。内容器３は、底面１１を形成する底壁１７と、底壁１７の左側縁１７ａから立ち上がった左側壁１８と、底壁１７の右側縁１７ｂから立ち上がり左側壁１８に対向する右側壁１９と、底壁１７の一端側にある前側縁１７ｃから立ち上がった前端壁２０と、底壁１７の他端側にある後側縁１７ｄから立ち上がり前端壁２０に対向する後端壁２１とを有している。左側壁１８、右側壁１９、前端壁２０および後端壁２１に、それぞれ対応して左側面１２、右側面１３、前面１４および後面１５が形成されている。
【００１８】
内容器３は、舟形形状の内側に区画された長手の収容空間２４を有している。収容空間２４には、内容物としての複数個のガム２３が、長手方向Ｘ１に並べて収容可能である。ガム２３は、粒状であり、包装紙により個包装されており、予め定められた個数のガム２３が収容空間２４を満たした状態で、商品として販売される。
内容器３の一端側２５が外スリーブ２から引き出されることにより（内容器３の他端側２６を一端側２５へ向けて押してもよい）、引き出された一端側２５にガム２３を取り出すための取出口２７が現れる構成とされている。この取出口２７は、内容器３の一端側２５における上方に開放された上面が、外スリーブ２の一端側としての前側の端部から突出して露出されることで形成される。取出口２７を通じて、ガム２３を容易に取り出すことができる。
【００１９】
内容器３の一端側２５をスライドさせて外スリーブ２内に戻すことにより、取出口２７は塞がれる。
図１（Ｂ）を参照して、内容器３の他端側端面としての後面１５には、一方向入口３０が備えられている。この一方向入口３０は、収容したい物、例えば、ガム２３の噛みカスを収容空間２４内へ挿入できるとともに、一旦挿入した噛みカスが戻り出ることのないようになっている。
【００２０】
一方向入口３０は、内容器３の後面１５に形成された開口３１と、この開口３１を塞ぐように収容空間２４内側に設けられた開閉可能な開閉扉としての一対のフラップ片３２とを有している。
図２（Ａ）は、包装容器１の他端側の拡大斜視図であり、噛みカス３３を一方向入口３０から入れようとしている状態を示し、図２（Ｂ）は、包装容器１の他端側の拡大斜視図であり、噛みカス３３が図２（Ａ）に示す状態よりも奥側に入った状態を示す。
【００２１】
図２（Ａ）および図２（Ｂ）を参照して、噛みカス３３を一方向入口３０の外側から押し込むことで、フラップ片３２は押されて回動する。これにより、開口３１に、噛みカス３３を通すことができる隙間が形成され、噛みカス３３は押されながら内部に入る。
図３（Ａ）は、包装容器１の他端側を上から見た断面図であり、噛みカス３３が一方向入口３０を通過中の状態を示し、図３（Ｂ）は、この状態の包装容器１の他端側を左右方向から見た断面図であり、図３（Ｃ）は、包装容器１の他端側を上から見た断面図であり、噛みカス３３が一方向入口３０を通過後の状態を示す。
【００２２】
図３（Ａ）および図３（Ｂ）を参照して、フラップ片３２は、一対で設けられ、内容器３の左右側壁１８，１９の他方側端縁１８ａ，１９ａから屈曲状にそれぞれ連設されている。
また、内容器３は、後端壁２１の上端縁から屈曲状に連設された舌片３４を有している。舌片３４は、フラップ片３２が開くときに、フラップ片３２の上端と接するようになっている。舌片３４は、フラップ片３２が開くのを抑制するように作用する。
【００２３】
図３（Ａ）および図３（Ｃ）を参照して、一対のフラップ片３２は、他方側端縁１８ａ，１９ａを回転の中心軸線として回転でき、可動端が互いに近接した閉じた状態（図３（Ｃ）に示す状態）と、可動端が互いに遠ざかった開いた状態（図３（Ａ）に示す状態）との間で変位できる。フラップ片３２は、開いた状態では、他方側端縁１８ａ，１９ａ近傍部分の弾性復元力により閉じた状態に向けて自律的に戻るように構成されている。その結果、噛みカス３３が一対のフラップ片３２の間の隙間を通過した後、フラップ片３２は閉じる向きに回転する。従って、挿入された噛みカス３３が戻ることは阻止される。
【００２４】
また、噛みカス３３を一方向入口３０から入れると、その近くにある収容物、例えば、ガム２３（既に中にある噛みカス３３でもよい）を押して、収容空間２４の一端側に向けて移動させることができる。その結果、収容空間２４内のガム２３を取出口２７から取り出し易くなる。
次に、外スリーブ２および内容器３の製造方法の一例を説明する。
【００２５】
図４（Ａ）は、外スリーブ２のブランク４０の平面図であり、図４（Ｂ）は、内容器３のブランク４１の平面図である。
図１（Ａ）と図４（Ａ）を参照して、外スリーブ２は、一枚のブランク４０から組み立てられてなる。
ブランク４０は、外スリーブ２の展開形状を有する板であり、組立品としての外スリーブ２の対応部分を有している。すなわち、ブランク４０は、底壁６と、底壁６の左右両側縁に連接されて折り曲げられる左右側壁７，８と、上壁９と、右側壁８および上壁９を互いに接合するための糊代４２とを有している。ブランク４０の折り線４３に沿って折り曲げて、筒状に形成し、右側壁８および上壁９を糊代４２で互いに接合する。これにより、外スリーブ２が完成する。
【００２６】
図１（Ｂ）と図４（Ｂ）を参照して、内容器３は、一枚のブランク４１から組み立てられてなる。
ブランク４１は、内容器３の展開形状を有する板であり、組立品としての内容器３の対応部分を有している。すなわち、ブランク４１は、底壁１７と、底壁１７の左右両側縁に連接されて折り曲げられる左右側壁１８，１９と、底壁１７の一方端縁に連設されて折り曲げられる前端壁２０と、底壁１７の他方端縁に連設されて折り曲げられる後端壁２１と、左右側壁１８，１９の一方端縁にそれぞれ連設されて折り曲げられる一対のフラップ片４５と、前端壁２０の上縁に連接されて折り返される舌片４６と、左右側壁１８，１９の他方端縁にそれぞれ連設されて折り曲げられる上述した一対のフラップ片３２と、後端壁２１の上縁に連接されて折り返される上述した舌片３４と、を含んでいる。
【００２７】
ブランク４１の折り線４７に沿って折り曲げて、舟形形状に形成する。これとともに、フラップ片４５と舌片４６とを根元の折り線４８，４９で曲げて、前端壁２０と舌片４６とで、フラップ片４５を挟む。フラップ片３２と舌片３４とを根元の折り線５０，５１で曲げて、後端壁２１と舌片３４とで、フラップ片３２を挟む。これにより、内容器３が完成する。
【００２８】
後端壁２１には、一方向入口３０を開口するときに除去可能な穴蓋５３がミシン目５４で繋がるように形成されている。ガムの販売時には、穴蓋５３は後端壁２１に繋がっており、一方向入口３０は塞がっている。一方向入口３０を利用しようとするときに、穴蓋５３は除去される。これにより、一方向入口３０の開口３１が形成され、ここから噛みカス３３を押し込むことができるようになる。
【００２９】
なお、除去された穴蓋５３を、そのまま収容空間２４内に押し込むことで、ガム２３と噛みカス３３との間の仕切り壁として使用することもできる。また、穴蓋５３が最初から除去された状態で包装容器１を構成し、包装容器１の上からセロハン掛けなどのオーバーラップ処理を行って、製品として販売することもできる。
このように、この実施形態によれば、使い勝手が向上した包装容器１を提供することができる。すなわち、内容器３を外スリーブ２に対してスライドさせることで、取出口２７から内容物を容易に取り出すことができる。逆向きに内容器３をスライドさせることで、取出口２７を閉じることができる。また、包装材やガムの噛みカス３３等の収容したい物が生じたときには、これを他端側端面としての後面１５の一方向入口３０から収容空間２４に容易に入れることができ、しかも、入れたものが包装容器１からこぼれ出ることもない。
【００３０】
内容器３が舟形形状であるので、ガム２３をより一層容易に取り出すことができる。
また、ブランク４１に、一対のフラップ片３２と、ミシン目５４で繋がった穴蓋５３とを形成することで、一方向入口３０を実用的に構成できる。更に、包装容器１の構成要素が少ないため、容易に包装容器１を組み立てることができる。
なお、外スリーブ２および内容器３の少なくとも一方は、紙以外の材料、例えば、金属、合成樹脂等により形成することもできる。
【００３１】
次の、この発明の別態様の実施形態について説明する。
図５（Ａ）は、この発明の別の実施形態の全体斜視図で、一方向入口を開いた組み立て前の状態を示す図であり、図５（Ｂ）は、図５（Ａ）の容器を組み立てた状態における縦断面図である。図６（Ａ）は、この発明のさらに別の実施形態の全体斜視図で、一方向入口を開いた組み立て前の状態を示す図であり、図６（Ｂ）は、図６（Ａ）の容器を組み立てた状態における縦断面図である。また、図７（Ａ）は、この発明のさらに別の実施形態の全体斜視図で、一方向入口を開いた組み立て前の状態を示す図であり、図７（Ｂ）は、図７（Ａ）の容器を組み立てた状態における縦断面図である。
【００３２】
図５ないし図７を参照して、この発明の別形態としては、図５に示されるように、いわゆる直サック箱（キャラメル箱）タイプを例示することができる。すなわち、直方体状の容器６０の一端面側６１に、１枚の蓋板６２と２枚のフラップ片（一対のフラップ）６３，６４を設け、外方に位置する蓋板６２に穴蓋６５（ハッチングを付して示している）を設け、内部に位置する２枚のフラップ片６３，６４と併せて一方向入口６６を構成した形態となっている。この場合、容器６０の他方側面側（底面部分）６７に内容物の取出口（不図示）が形成される。
【００３３】
また、図６に示されるように、直方体状の容器７０の一端面側７１に、４枚のフラップ片７２，７３，７４，７５を設け、外方に位置する２枚のフラップ片７２，７３のそれぞれに穴蓋７６，７７を設けた上でフラップ片７２，７３同士の接着を行い、内部に位置する２枚のフラップ片７４，７５と併せて一方向入口７８を構成した形態とすることもできる。この場合も、容器７０の他方側面側（底面部分）７９に内容物の取出口（不図示）が形成される。
【００３４】
さらに、図７に示されるように、身となる直方体状の内容器８０の一端面側８１に２枚のフラップ片８２，８３を設け、内容器８０の上面と前後側壁、左右側壁を覆う蓋となる外容器８４の上面壁８５に穴蓋８６を設けて、内部に位置する内容器８０の２枚のフラップ片８２，８３と併せて一方向入口８７を構成した形態とすることもできる。この場合も、内容器８０の他方側面側（底面部分）８８に内容物の取出口（不図示）が形成される。
【００３５】
図８〜１６を参照して、この発明のさらに変形例を説明する。
まず、この発明の構成要素である一方向入口を構成するフラップ片は、上述の各実施例のように１対（２枚）の構成以外に、１枚、または３枚以上とすることもできる。また、一方向入口を構成する穴蓋は、フラップ片が容器の外方に飛び出ようと回動するのを防止するような構造であればよい。すなわち「フラップ片の回動防止構造」であれば、穴蓋以外の構成であってもよい。
【００３６】
図８は、フラップ片が４枚の構成例を示す実施例である。図８においては、図７の実施例の一対のフラップ片８２，８３が、４枚のフラップ片８４１，８４２，８４３，８４４に変更された形態をしている。
図９は、フラップ片が３枚の構成例を示す実施例であり、図５の実施例の一対のフラップ片６３，６４が、３枚のフラップ片６３１，６３２，６３３に変更された形態である。
【００３７】
図１０は、フラップ片が１枚の構成例を示す実施例であり、図５の実施例の一対のフラップ片６３，６４が、１枚のフラップ片６３４に変更された形態である。
図１１は、内容器の形態を、図７に示すような四角柱から六角柱に変更し、６枚のフラップ片８６６を設けた実施例である。なお、内容器の形態には特に制限は無く、同様の構造をとるならば、三角柱や五角柱、八角柱などであっても良い。
【００３８】
また、図１２および図１３に示すように、一方向入口の構成要素である穴蓋に代えて、フラップ片の回動防止構造としての外側コーナー部ガイド１２１，１３１を設けてもよい。
図１２に示すように、フラップ片の基端側の外側の四隅に設けられた外側コーナー部ガイド１２１は、外部から物を収容でき、かつフラップ片が容器の外方に飛び出ようとするのを防止するような一方向入口を形成する構成要素となりうる。また、図１３に示すように、一対のフラップ片の両方の側辺部分を覆うように外側コーナー部ガイド１３１を設けた形態としてもよい。さらに、図１３において、外側コーナー部ガイド１３１はいずれか一方の側辺部分のみを覆う形であってもよい。
【００３９】
また、図１２，１３において、外側コーナー部ガイド１２１，１３１の素材としては、紙、金属、合成樹脂などを例示することができる。また、図示はしないが、外側コーナー部ガイド１２１，１３１に代えて、糸もしくは糸状の物（例えばビニールひも、針金など）を張って、フラップ片が容器の外方に飛び出ようとするのを防止するような構造としても良い。更には、図示はしないが、一対のフラップ片ではなく、１枚もしくは３枚以上のフラップ片に対して、フラップ片が容器の外方に飛び出ようとするのを防止するようなガイドや糸状の物を設ける構造としても良い。
【００４０】
図１４は、この発明のさらに変形例を示す図である。図１４の実施例では、四角柱の容器７０に蓋を２枚設け、一方の蓋にフラップの代わりとなる放射状の切れ込み７７１を設けて内方に位置する蓋７２とし、穴蓋７７を設けた方の蓋７３を外方に位置する蓋として折り込んだ構造となっている。
図１５は、さらに他の実施例で、図１４に示す四角柱の容器を六角柱の容器７０とした構造である。
【００４１】
なお、図１４，１５の実施例において、蓋に形成した放射状の切れ込み７７１の数は、中心点から３本以上設けてあるならば何本でも構わない。また、角柱の種類にも特に制限は無い。
図１６は、フラップ片１０１，１０２の形状の変形例を示す。フラップ片１０１，１０２を２枚以上設ける場合、相対する（隣接する）フラップ片１０１，１０２の各辺は必ずしもお互いに直線である必要はなく、曲線や波形線など、様々な形状とすることができる。
【００４２】
この発明は、以上説明した各実施形態に限定されるものではなく、特許請求の範囲に記載された事項の範囲で種々の設計変更を施すことが可能である。
【符号の説明】
【００４３】
１    包装容器
２    外スリーブ
３    内容器
６    （外スリーブの）底壁
７    （外スリーブの）左側壁
８    （外スリーブの）右側壁
９    （外スリーブの）上壁
１１    底面
１２    左側面
１３    右側面
１４    前面
１５    後面（他端側端面）
１７    底壁
１７ａ，１７ｂ    底壁の左右両側縁
１７ｃ    底壁の前側縁
１７ｄ    底壁の他方端縁
１８    左側壁
１８ａ    左側壁の他方側端縁
１９    右側壁
１９ａ    右側壁の他方側端縁
２０    前端壁
２１    後端壁
２３    ガム（内容物）
２４    収容空間
２５    一端側
２６    他端側
２７    取出口
３０    一方向入口
３１    開口
３２    フラップ片
３３    噛みカス（収容したい物、挿入した物）
３４    舌片
４０，４１    ブランク
４２    糊代
４３    折り線
４５    フラップ片
４６    舌片
４７，４８，４９，５０，５１    折り線
５３    穴蓋
５４    ミシン目
Ｘ１    長手方向
６０，７０    容器
６１，７１，８１    一端面側
６２    蓋板
６３，６４，７２，７３，７４，７５，８２，８３，８４１，８４２，８４３，８４４，６３１，６３２，６３３，６３４，８６６，１０１，１０２    フラップ片
６５，７６，７７，８６    穴蓋
６６，７８，８７    一方向入口
６７，７９，８８    他方側面側（底面部分）
８０    内容器
８４    外容器
８５    上面壁
７７１    蓋に形成した放射状の切れ込み
【図１】
0006593674.tif 000002
【図２】
0006593674.tif 000003
【図３】
0006593674.tif 000004
【図４】
0006593674.tif 000005
【図５】
0006593674.tif 000006
【図６】
0006593674.tif 000007
【図７】
0006593674.tif 000008
【図８】
0006593674.tif 000009
【図９】
0006593674.tif 000010
【図１０】
0006593674.tif 000011
【図１１】
0006593674.tif 000012
【図１２】
0006593674.tif 000013
【図１３】
0006593674.tif 000014
【図１４】
0006593674.tif 000015
【図１５】
0006593674.tif 000016
【図１６】
0006593674.tif 000017